(57)【要約】【課題】表示装置の内蔵バッテリーの消費量のさらなる低減を実現する表示システムを実現する。【解決手段】共通の元データから第１画像データと第１画像データよりドット数の少ない第２画像データとを作成する画像データ作成手段と、画像データ作成手段により作成された第１画像データおよび第２画像データを送信する送信手段と、を有するデータ作成装置と、データ作成装置の送信手段により送信された第１画像データおよび第２画像データを受信する受信手段２０５と、受信手段により受信された第１画像データを、省エネルギーモードとして第２画像データに切替えて表示可能な表示手段２０３と、を有する。【選択図】図４
2014157516.tif 000002
【特許請求の範囲】
【請求項１】
共通の元データから第１画像データと前記第１画像データよりドット数の少ない第２画像データとを作成する画像データ作成手段と、
前記画像データ作成手段により作成された前記第１画像データおよび第２画像データを送信する送信手段と、を有するデータ作成装置と、
前記データ作成装置の前記送信手段により送信された前記第１画像データおよび第２画像データを受信する受信手段と、
前記受信手段により受信された前記第１画像データを、省エネルギーモードとして前記第２画像データに切替えて表示可能な表示手段と、を有する表示装置と、
を有することを特徴とする表示システム。
【請求項２】
前記データ作成装置は、前記画像データ作成手段により前記第１画像データよりドット数を少なく作成されるための前記第２画像データのドット形式を、ユーザーによる選択に基づいて設定する設定手段をさらに有することを特徴とする請求項１に記載の表示システム。
【請求項３】
前記表示装置は、前記第１画像データのページのドット数を検出するドット数検出手段をさらに有し、
前記表示手段は、前記ドット数検出手段によりドット数が検出された前記第１画像データのページのうちドット数が第１閾値を超える特定ページを、前記特定ページと元データを共通にする前記第２画像データの対応するページに省エネルギーモードとして切替えて表示することを特徴とする請求項１または２に記載の表示システム。
【請求項４】
前記表示装置は、バッテリーの残量を検出するバッテリー残量検出手段をさらに有し、
前記表示手段は、前記バッテリー残量検出手段により検出されたバッテリーの残量が第２閾値より少なくなったとき、以後、省エネルギーモードとして前記第２画像データに切替えて表示することを特徴とする請求項１〜３のいずれか一項に記載の表示システム。
【請求項５】
前記表示手段は、前記バッテリー残量検出手段により検出されたバッテリーの残量により前記第１画像データの未表示のページのすべてを表示できなくなったとき、以後、省エネルギーモードとして前記第２画像データに切替えて表示することを特徴とする請求項４に記載の表示システム。
【請求項６】
前記データ作成装置は、前記第１画像データのページのドット数を算出するドット数算出手段をさらに有し、
前記画像データ作成手段は、前記ドット数算出手段によりドット数が算出された前記第１画像データのページのうちドット数が第３閾値を超えるページに対応する前記元データのページについてのみ前記第２画像データを作成することを特徴とする請求項１〜５のいずれか一項に記載の表示システム。
【請求項７】
前記表示装置は電子ペーパー端末であることを特徴とする請求項１〜６のいずれか一項に記載の表示システム。
【請求項８】
前記表示装置は、前記表示手段が前記第２画像データを表示しているときにユーザーにより前記表示手段に入力された手書き入力を前記第１画像データおよび前記第２画像データに反映させるデータ反映手段をさらに有することを特徴とする請求項１〜７のいずれか一項に記載の表示システム。
【請求項９】
共通の元データから作成された第１画像データと前記第１画像データよりドット数の少ない第２画像データとを受信する受信手段と、
前記受信手段により受信された前記第１画像データを、省エネルギーモードとして前記第２画像データに切替えて表示可能な表示手段と、
を有する表示装置。
【請求項１０】
共通の元データから作成された第１画像データと前記第１画像データよりドット数の少ない第２画像データとを受信する手順（ａ）と、
前記手順（ａ）において受信された前記第１画像データを、省エネルギーモードとして前記第２画像データに切替えて表示する手順（ｂ）と、
を有する手順を表示装置に実行させる表示装置用プログラム。
【請求項１１】
請求項１０に記載のプログラムを記録したコンピュータ読み取り可能な記録媒体。
【発明の詳細な説明】
【技術分野】
【０００１】
本発明は、表示システム、表示装置、表示装置用プログラム、および表示装置用プログラムを記録したコンピュータ読み取り可能な記録媒体に関する。
【背景技術】
【０００２】
電子ペーパー端末等の電子機器においては、文章や画像の長時間の閲覧を可能とするために電子機器の内蔵バッテリーの消費量を抑えることが求められている。電気泳動方式による表示方式の電子ペーパー端末は、表示内容を維持して表示している状態では電力消費がほとんどない。しかし、表示内容が更新されたときに比較的大きな消費電力が発生するため消費電力の低減が求められている。
【０００３】
電流駆動型表示パネルに文字を表示する携帯型電子機器において内蔵バッテリーの消費量を抑える技術としては下記特許文献１に示すようなものがある。すなわち、携帯型電子機器に通常のフォントとともに低消費電力用のフォントとして線の細いフォント等を記憶させておき、内蔵バッテリーの電圧が低下したときに、表示する文字のフォントを通常のフォントから低消費電力用のフォントに切替える。これにより内蔵バッテリーの消費量を抑えるというものがある。
【先行技術文献】
【特許文献】
【０００４】
【特許文献１】特開２００４−１７８０２９号公報
【発明の概要】
【発明が解決しようとする課題】
【０００５】
しかし、上述した従来技術は、低消費電力用のフォントを用いた画像データを作成することにより携帯型電子機器において消費電力が発生し、内蔵バッテリーの消費量が増大するという問題がある。
【０００６】
本発明は、このような問題を解決するためになされたものである。すなわち、共通の元データから通常の画像データと通常の画像データよりドット数の少ない低消費電力用の画像データとをプリンタードライバー側で作成する。そして、電子機器においてこれらの画像データを受信し、通常の画像データを、省エネルギーモードとして低消費電力用の画像データに切替えて表示可能な表示手段を設ける。これにより、電子機器において低消費電力用の画像データの作成に必要な消費電力を削減し、内蔵バッテリーの消費量をさらに低減することを目的とする。
【課題を解決するための手段】
【０００７】
本発明の上記課題は、以下の手段によって解決される。
【０００８】
（１）共通の元データから第１画像データと前記第１画像データよりドット数の少ない第２画像データとを作成する画像データ作成手段と、前記画像データ作成手段により作成された前記第１画像データおよび第２画像データを送信する送信手段と、を有するデータ作成装置と、前記データ作成装置の送信手段により送信された前記第１画像データおよび第２画像データを受信する受信手段と、前記受信手段により受信された前記第１画像データを、省エネルギーモードとして前記第２画像データに切替えて表示可能な表示手段と、を有する表示装置と、を有することを特徴とする表示システム。
【０００９】
（２）前記データ作成装置は、前記画像データ作成手段により前記第１画像データよりドット数を少なく作成されるための前記第２画像データのドット形式を、ユーザーによる選択に基づいて設定する設定手段をさらに有する上記（１）に記載の表示システム。
【００１０】
（３）前記表示装置は、前記第１画像データのページのドット数を検出するドット数検出手段をさらに有し、前記表示手段は、前記ドット数検出手段によりドット数が検出された前記第１画像データのページのうちドット数が第１閾値を超える特定ページを、前記特定ページと元データを共通にする前記第２画像データの対応するページに省エネルギーモードとして切替えて表示する上記（１）または（２）に記載の表示システム。
【００１１】
（４）前記表示装置は、バッテリーの残量を検出するバッテリー残量検出手段をさらに有し、前記表示手段は、前記バッテリー残量検出手段により検出されたバッテリーの残量が第２閾値より少なくなったとき、以後、省エネルギーモードとして前記第２画像データに切替えて表示する上記（１）〜（３）のいずれかに記載の表示システム。
【００１２】
（５）前記表示手段は、前記バッテリー残量検出手段により検出されたバッテリーの残量により前記第１画像データの未表示のページのすべてを表示できなくなったとき、以後、省エネルギーモードとして前記第２画像データに切替えて表示する上記（４）に記載の表示システム。
【００１３】
（６）前記データ作成装置は、前記第１画像データのページのドット数を算出するドット数算出手段をさらに有し、前記画像データ作成手段は、前記ドット数算出手段によりドット数が算出された前記第１画像データのページのうちドット数が第３閾値を超えるページに対応する前記元データのページについてのみ前記第２画像データを作成する上記（１）〜（５）のいずれかに記載の表示システム。
【００１４】
（７）前記表示装置は電子ペーパー端末である上記（１）〜（６）のいずれかに記載の表示システム。
【００１５】
（８）前記表示装置は、前記表示手段が前記第２画像データを表示しているときにユーザーにより前記表示手段に入力された手書き入力を前記第１画像データおよび前記第２画像データに反映させるデータ反映手段をさらに有する上記（１）〜（７）のいずれかに記載の表示システム。
【００１６】
（９）共通の元データから作成された第１画像データと前記第１画像データよりドット数の少ない第２画像データとを受信する受信手段と、前記受信手段により受信された前記第１画像データを、省エネルギーモードとして前記第２画像データに切替えて表示可能な表示手段と、を有する表示装置。
【００１７】
（１０）共通の元データから作成された第１画像データと前記第１画像データよりドット数の少ない第２画像データとを受信する手順（ａ）と、前記手順（ａ）において受信された前記第１画像データを、省エネルギーモードとして前記第２画像データに切替えて表示する手順（ｂ）と、を有する手順を表示装置に実行させる表示装置用プログラム。
【００１８】
（１１）上記（１０）に記載のプログラムを記録したコンピュータ読み取り可能な記録媒体。
【発明の効果】
【００１９】
共通の元データから通常の画像データと通常の画像データよりドット数の少ない低消費電力用の画像データとをプリンタードライバー側で作成する。そして、電子機器においてこれらの画像データを受信し、通常の画像データを、省エネルギーモードとして低消費電力用の画像データに切替えて表示可能な表示手段を設ける。これにより、電子機器において低消費電力用の画像データの作成に必要な消費電力を削減し、内蔵バッテリーの消費量をさらに低減することができる。
【図面の簡単な説明】
【００２０】
【図１】本発明の実施形態に係るデータ表示システムを示すブロック図である。
【図２】ＰＣの構成を示すブロック図である。
【図３】ユーザーが省エネ画像データの作成有無と省エネ画像データのドット形式とを選択するための端末側設定画面を示す図である。
【図４】本発明の実施形態に係る電子ペーパー端末の構成を示すブロック図である。
【図５】電子ペーパー端末の表示部の主要部の構造を示す断面図である。
【図６】通常モードおよび省エネモードにおける電子ペーパー端末の表示部の表示例を示す簡略図である。
【図７】文字数が多いページを省エネモードで表示する場合の通常モードと省エネモードとの間の遷移を示す説明図である。
【図８】バッテリーの残量が閾値より少なくなったときに以後のページを省エネモードで表示する場合の通常モードと省エネモードとの間の遷移を示す説明図である。
【図９】ＰＣの動作のフローチャートである。
【図１０】本発明の実施形態に係る電子ペーパー端末の動作のフローチャートである。
【発明を実施するための形態】
【００２１】
以下、図面を参照して、本発明の実施形態に係る表示システム、表示装置、表示装置用プログラム、および表示装置用プログラムを記録したコンピュータ読み取り可能な記録媒体について詳細に説明する。なお、本明細書において、画像データの「表示」には、「画像として表示」の意味が含まれるものとする。
【００２２】
図１は、本発明の実施形態に係るデータ表示システムを示すブロック図である。
【００２３】
図１に示すように、表示システム１は、ＰＣ（Ｐｅｒｓｏｎａｌ  Ｃｏｍｐｕｔｅｒ）１０と、電子ペーパー端末２０とを有する。
【００２４】
ＰＣ１０はデータ作成装置を構成し、電子ペーパー端末２０は表示装置を構成する。
【００２５】
図１に示すように、ＰＣ１０と電子ペーパー端末２０とはネットワーク３０を介して相互に通信可能に接続される。ネットワーク３０は、無線または有線のＬＡＮ（Ｌｏｃａｌ  Ａｒｅａ  Ｎｅｔｗｏｒｋ）により構成されることができる。
【００２６】
図２は、ＰＣの構成を示すブロック図である。
【００２７】
図２に示すように、ＰＣ１０は、ＣＰＵ（Ｃｅｎｔｒａｌ  Ｐｒｏｃｅｓｓｉｎｇ  Ｕｎｉｔ）１０１、ＲＡＭ（Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、ＨＤＤ（Ｈａｒｄ  Ｄｉｓｋ  Ｄｒｉｖｅ）１０４、操作部１０５、表示部１０６および通信部１０７を備えており、これらは信号をやり取りするためのバス１０８を介して相互に接続される。
【００２８】
ＣＰＵ１０１は画像データ作成手段およびドット数検出手段を構成する。通信部１０７は送信手段を構成する。また、ＣＰＵ１０１および操作部１０７は設定手段を構成する。
【００２９】
ＣＰＵ１０１は、プログラムに従って上記各部の制御や各種の演算処理を行う。
【００３０】
ＲＡＭ１０２は、作業領域として一時的にプログラムやデータを記憶する。
【００３１】
ＲＯＭ１０３は、各種プログラムや各種データを格納する。
【００３２】
ＨＤＤ１０４は、オペレーティングシステム、プリンタードライバー、およびその他の各種プログラムや各種データを格納する。プリンタードライバーは、文書ファイルをビットマップ形式の画像データに変換するためのソフトウェアである。
【００３３】
操作部１０５は、例えばマウスといったポインティングデバイスやキーボードを含み、各種の操作、入力を行うために使用される。
【００３４】
表示部１０６は、例えば液晶ディスプレイであり、各種の情報を表示する。
【００３５】
通信部１０７は、外部機器と通信するためのインターフェースであり、無線通信インターフェース、電話回線に接続するための電話回線インターフェース等を利用することができる。
【００３６】
ＰＣ１０は上述した構成を有することにより以下のように作用する。
【００３７】
ユーザーにより操作部１０５から入力された指示に基づいて、ＣＰＵ１０１は、プリンタードライバーにより文書ファイルを二種類の画像データに変換する。すなわち、ＣＰＵ１０１は、共通の元データである文書ファイルから第１画像データ、および第１画像データよりドット数の少ない第２画像データに変換する。なお、ドット数とは、画像を構成する点の数である。以下、第１画像データを「通常画像データ」、第２画像データを「省エネ画像データ」と称する。
【００３８】
ＣＰＵ１０１は、文書ファイルを省エネ画像データに変換する際、省エネ画像データのドット形式をユーザーにより操作部１０５から入力された選択に基づいて設定する。
【００３９】
図３は、ユーザーが省エネ画像データの作成有無と省エネ画像データのドット形式とを選択するための端末側設定画面を示す図である。画像データのドット形式とは、画像データの文字および画像の線種を表現するためのドットの数、並び、および密度等をいう。端末側設定画面は表示部１０５に表示される。
【００４０】
ユーザーは、「省エネ画像データを作成しない」または「省エネ画像データを作成する」のいずれかを、チェックボックスの選択により選択することができる。図３においては、「省エネ画像データを作成する」のチェックボックスがチェックされているため、ＣＰＵ１０１は通常画像データとともに省エネ画像データを作成する。
【００４１】
また、同様に、ユーザーは、「文字の変換」欄において文字の線種を「細線」、「薄線」、および「中抜き線」のうちのいずれかから選択し、「画像の変換」欄において画像の線種を「細線」、「薄線」、および「中抜き線」のうちのいずれかから選択することができる。これらのユーザーによる選択に基づいて、ＣＰＵ１０１は通常画像データよりドット数が少なく作成されるための省エネ画像データのドット形式を設定する。図３においては、文字の線種について「細線」が、画像の線種について「薄線」が選択されている。
【００４２】
文字の線種を「細線」とするための方法としては、例えば、文書ファイルで用いられていたフォントに対し文字の線幅を狭める方法や、文書ファイルで用いられていたフォントよりも線幅の細い既存のフォントを用いる方法がある。画像の線種を「薄線」とするための方法としては、例えば、線幅を維持しつつ線を構成するドット数を間引きにより低減する方法がある。
【００４３】
端末設定画面においては、省エネ画像データに基づいて電子パーパー端末２０に表示される画像がプレビューとして表示される。ユーザーはプレビューを参考にして見易さや、画像の崩れの程度等の観点から省エネ画像データの文字および画像の線種を選択することができる。
【００４４】
ＰＣ１０において共通の文書ファイルから変換されることにより作成された通常画像データおよび省エネ画像データは通信部１０７を介して電子ペーパー端末２０に送信される。
【００４５】
省エネ画像データは通常画像データよりもドット数が少ない画像データである。従って、表示の更新の度に画面全体が白色にリフレッシュされる電子泳動方式の電子ペーパー端末２０においては、ドット数の少ない省エネ画像データに更新されるときの方が通常画像データに更新されるときより更新される画素数が少ない。このため、省エネ画像データを電子ペーパー端末２０に表示させることにより、表示画像の更新のときに電子ペーパー端末２０において生じる消費電力を削減することができる。
【００４６】
また、省エネ画像データの作成をＰＣ１０において行い、作成された省エネ画像データを電子ペーパー端末２０に送信し表示させることにより、電子ペーパー端末２０において省エネ画像データを作成することで生じる消費電力を削減できる。
【００４７】
また、省エネ画像データの作成をＰＣ１０において行うことにより、省エネ画像データのドット形式を破線にする等、電子ペーパー端末２０では処理できない新たな処理を後から適宜追加できる。
【００４８】
以下、電子ペーパー端末２０において省エネ画像データが表示されるモードを「省エネモード（省エネルギーモード）」と、省エネモード以外のモードを「通常モード」と称する。
【００４９】
通信部１０７は、ＣＰＵ１０１により作成された通常画像データおよび省エネ画像データを電子ペーパー端末２０に送信する。なお、ＣＰＵ１０１は、通常画像データの各ページのドット数を算出し、算出したドット数を各ページの属性情報として通常画像データのヘッダーに付加して通信部１０７に送信させる。
【００５０】
図４は、電子ペーパー端末の構成を示すブロック図である。
【００５１】
図４に示すように、電子ペーパー端末２０は、ＣＰＵ２０１、記憶部２０２、表示部２０３、操作部２０４、通信部２０５、電源状態監視部２０６、および電源ユニット２０７を備えている。ＣＰＵ２０１、記録部２０２、通信部２０３、操作部２０４、表示部２０５、および電源状態監視部２０６は、信号をやり取りするためのバス２０８を介して相互に接続される。電源ユニット２０７と電源状態監視部２０６とは信号をやり取りするための専用線２０９で接続される。
【００５２】
通信部２０５は受信手段を、表示部２０３は表示手段をそれぞれ構成する。ＣＰＵ２０１はドット検出手段およびデータ反映手段を構成する。また、ＣＰＵ２０１および電源状態監視部２０６はバッテリー残量検出手段を構成する。
【００５３】
ＣＰＵ２０１は、プログラムに従って、電子ペーパー端末２０を構成する各構成要素を制御するとともに各種演算処理を行う。
【００５４】
記憶部２０２は、各種プログラムや各種データを記憶する。記憶部は、ＲＡＭ、およびＲＯＭ等から構成されることができる。
【００５５】
通信部２０３は、外部機器と通信するためのインターフェースであり、無線通信インターフェース、電話回線に接続するための電話回線インターフェース等を利用することができる。
【００５６】
表示部２０３は、例えば、電気泳動方式のディスプレイであり、画像データ等各種情報を表示する。電気泳動方式のディスプレイは、同じ画像の表示を保持している間は消費電力を生じず、表示する画像の更新時において消費電力を生じる特徴を有する。
【００５７】
図５は、電子ペーパー端末の表示部の主要部の構造を示す断面図である。
【００５８】
図５に示すように、表示部２０３は、負電荷を帯びた黒色顔料２０３２および正電荷を帯びた白色顔料２０３１がオイル等の透明分散媒とともに封入されたマイクロカプセル２０３３による電気泳動方式の表示技術を採用している。
【００５９】
表面層２０３４は、ＰＥＴ（Ｐｏｌｙｅｔｈｙｌｅｎｅ  Ｔｅｒｅｐｈｔｈａｌａｔｅ）フィルム等の透明な材料からなる前面基板であり、その背面側にはＩＴＯ（Ｉｎｄｉｕｍ  Ｔｉｎ  Ｏｘｉｄｅ）等の透明な導電膜からなる透明電極２０３５が配置されている。また、支持層２０３８はポリイミドフィルム等の絶縁性を有する材料からなる背面基板であり、その前面側には個々のマイクロカプセル２０３３に対応する微小な金属板からなる背面電極（セグメント電極）２０３７が配置されている。
【００６０】
そして、個々の背面電極２０３７と透明電極２０３５との間にはマイクロカプセル２０３３が配置されており、個々のマイクロカプセル２０３３は接着層２０３６を介して個々の背面電極２０３７と接合されている。このように、２枚の電極２０３５、２０３７を介して前面基板（表面層２０３４）と背面基板（支持層２０３８）との間の空間に２次元的に配置された多数のマイクロカプセル２０３３が表示部２０３の表示領域を形成している。
【００６１】
このように配置されたマイクロカプセル２０３３による表示原理は次の通りである。一のマイクロカプセル２０３３に対応する背面電極２０３７に正電位が与えられると、負電荷を帯びた黒色顔料２０３２が背面電極２０３７側に移動するとともに正電荷を帯びた白色顔料２０３１が透明電極２０３５側に移動するので、マイクロカプセル２０３３は表示領域の前面側から見て白色を表示することになる。
【００６２】
同様に、一のマイクロカプセル２０３３に対応する背面電極２０３７に負電位が与えられると、正電荷を帯びた白色顔料２０３１が背面電極２０３７側に移動するとともに負電荷を帯びた黒色顔料２０３２が透明電極２０３５側に移動するので、マイクロカプセル２０３３は表示領域の前面側から見て黒色を表示することになる。
【００６３】
操作部２０４は、タッチパネルやボタンにより構成され、ユーザーにより各種入力がなされる。操作部２０４には、画像データのページを切替えるためのページめくりボタンが含まれる。
【００６４】
通信部２０５は、外部機器と通信するためのインターフェースであり、無線通信インターフェース、電話回線に接続するための電話回線インターフェース等を利用することができる。
【００６５】
電源状態監視部２０６は、電源ユニット２０７の状態を監視し、バッテリーの残量を検知してＣＰＵ２０１に送信する。バッテリーの残量は、例えば、電源ユニット２０７の出力電圧を計測し、あらかじめ求めて記憶部２０２に記憶させておいた電源ユニット２０７の出力電圧とバッテリーの残量との関係のテーブルと比較することにより検出されることができる。
【００６６】
電源ユニット２０７は、電子ペーパー端末２０の構成要素としてのハードウェアに電力を供給する装置であり、例えば、リチウムイオン電池等の二次電池のバッテリーを有して構成されることができる。
【００６７】
電子ペーパー端末２０は上述した構成を有することにより以下のように作用する。
【００６８】
通信部２０５は、ＰＣ１０から通常画像データおよび省エネ画像データを受信し、記憶部２０２はこれらの画像データを記憶する。
【００６９】
表示部２０３は、操作部２０４に入力されるユーザーの指示に基づいて通常画像データを表示する。また、表示部２０３は、ＣＰＵ２０１による制御に従い、通常画像データを省エネ画像データに切替えて表示する。これにより、電子ペーパー端末２０は通常モードから省エネモードに切替わる。
【００７０】
図６は、通常モードおよび省エネモードにおける電子ペーパー端末の表示部の表示例を示す簡略図である。図６のＡは通常モードにおける表示例を、図６のＢおよびＣはそれぞれ省エネモードにおける表示例を示している。
【００７１】
図６のＢには、文字の線種として「細線」が選択されて作成された省エネ画像データの表示例が示されている。図６のＢには、図６のＡにおいて表示されている文字よりも線幅の細いフォントが使用されている。これにより、文字を構成するドット数が低減されることで電子ペーパー端末２０における低消費電力化が実現されている。
【００７２】
図６のＣには、画像の線種として「薄線」が選択された作成された省エネ画像データの表示例が示されている。図６のＣには、図６のＡにおいて表示されている画像よりも薄い線により画像が表示されている。これにより、薄い線とするために線を構成するドット数が間引きにより低減されることで電子ペーパー端末２０における低消費電力化が実現されている。
【００７３】
ＣＰＵ２０１は、通常画像データのページごとにドット数を検出し、ドット数が閾値（第１閾値）を超えるページ（特定ページ）を検出したときは、そのページについて通常画像データのページから省エネ画像データのページに切替えて表示することで省エネモードに切替える。ＣＰＵ２０１は、通常画像データのヘッダーに付加された各ページのドット数の情報に基づいてドット数を検出する。通常画像データのヘッダーに付加される各ページのドット数の情報はＰＣ１０により算出されるため、電子ペーパー端末２０において各ページのドット数を算出することで生じる消費電力を削減することができる。なお、電子ペーパー端末２０において各ページのドット数を算出してもよいことは勿論である。
【００７４】
図７は、文字数が多いページを省エネモードで表示する場合の通常モードと省エネモードとの間の遷移を示す説明図である。
【００７５】
図７には、通常画像データのＮページが文字数が多いためにドット数が閾値を超えている場合が示されている。なお、通常画像データのページのドット数が閾値を超える場合としては、文字数が多い場合の他、塗り潰し量が多い画像を含む場合等が考えられる。
【００７６】
電子ペーパー端末２０において操作部２０４を操作することによりページの番号順に各ページを表示させていくと、Ｎページのドット数が閾値を超えていることがＣＰＵ２０１により検出される。そのとき、ＣＰＵ２０１は、Ｎページについて通常画像データから省エネ画像データのページに切替え、省エネ画像データのＮページを表示部２０３に表示させることで省エネモードに切替える。そして、次のＮ＋１ページのドット数が閾値以下であることがＣＰＵ２０１により検出されると、ＣＰＵ２０１は、Ｎ＋１ページについて省エネ画像データから通常画像データのページに切替え、通常画像データのＮ＋１ページを表示部２０３に表示させることで通常モードに切替える。省エネモードに切替えるためのドット数の閾値は、電源ユニット２０７の電気容量等を考慮して適当な値に設定されることができる。
【００７７】
なお、ＣＰＵ２０１は、電源状態監視部２０６により検知されたバッテリーの残量が閾値（第２閾値）より少なくなったときに、以後、省エネモードとして通常画像データのページから省エネ画像データのページに切替えて表示してもよい。
【００７８】
図８は、バッテリーの残量が閾値より少なくなったときに以後のページを省エネモードで表示する場合の通常モードと省エネモードとの間の遷移を示す説明図である。
【００７９】
図８には、通常画像データのＮ−１ページの表示がされた時点でバッテリーの残量が閾値より少なくなった場合が示されている。電子ペーパー端末２０において操作部２０４へのユーザーによる操作の入力によりページの番号順に各ページが表示されていくと、これに並行して電源状態監視部２０６により電源ユニット２０７のバッテリーの残量が検出される。そして、Ｎ−１ページについて表示された時点でバッテリーの残量が閾値より少なくなったことがＣＰＵ２０１により検知されると、ＣＰＵ２０１は、以後、Ｎページ以降のページについて通常画像データから省エネ画像データのページに切替え、省エネ画像データのＮページを表示部２０３に表示させることで省エネモードに切替える。省エネモードに切替えるためのバッテリーの残量の閾値は、例えば、通常画像データの未表示のページのすべてを表示するために表示画像の更新に必要なバッテリーの残量とすることができる。また、バッテリーが満充電されたときのバッテリーの残量の２０％〜３０％をバッテリーの残量の閾値としてもよい。
【００８０】
なお、ＣＰＵ２０１は、省エネ画像データを表示しているときにユーザーにより入力された手書き入力を通常画像データおよび省エネ画像データに反映させる。これにより、編集がされた画像データについても省エネモードで表示することで内蔵バッテリーの消費量の低減を実現することができる。
【００８１】
次に、表示システム１の動作について、ＰＣ１０および電子ペーパー端末２０の各動作のフローチャートを参照して説明する。
【００８２】
図９は、ＰＣの動作のフローチャートである。本フローチャートは、ＰＣ１０にインストールされたプログラムにより実行されることができる。
【００８３】
ＣＰＵ１０１は、元データである文書ファイルを変換することにより通常画像データを作成する（Ｓ９０１）。
【００８４】
ＣＰＵ１０１は、端末設定画面１０６１において「省エネ画像データを作成する」のチェックボックスにチェックがなく、「省エネ画像データを作成しない」にチェックがある場合は（Ｓ９０２：ＮＯ）、作成した通常画像データを電子ペーパー端末２０へ送信する（Ｓ９０３）。
【００８５】
ＣＰＵ１０１は、端末設定画面１０６１において省エネ画像データを作成する」のチェックボックスにチェックがある場合は（Ｓ９０２：ＹＥＳ）、ユーザーにより選択されたドット形式により文書ファイルを変換して省エネ画像データを作成する（Ｓ９０４）。通信部１０７は、ＣＰＵ１０１により作成された省エネ画像データを通常画像データとともに電子ペーパー端末２０へ送信する。
【００８６】
図１０は、電子ペーパー端末の動作のフローチャートである。本フローチャートは、電子ペーパー２０にインストールされたプログラムにより実行されることができる。
【００８７】
通信部２０５がＰＣ１０から通常画像データおよび省エネ画像データを受信すると（Ｓ１００１）、ＣＰＵ２０１は通常画像データの各ページのドット数を検出する（Ｓ１００２）。
【００８８】
ＣＰＵ２０１は、表示しようとしている通常画像データのページのドット数が閾値を超えないと判断したときは（Ｓ１００３：ＮＯ）、通常モードとして、表示部２０３に通常画像データについて表示させる（Ｓ１００４）。
【００８９】
ＣＰＵ２０１は、表示しようとしている通常画像データのページのドット数が閾値を超えると判断したときは（Ｓ１００３：ＹＥＳ）、省エネモードとして、表示部２０３に省エネ画像データについて表示させる（Ｓ１００４）。
【００９０】
ステップＳ１００３、Ｓ１００４、Ｓ１００６は、最終ページの表示が終了するまで繰り返し実行される（Ｓ１００５）。
【００９１】
以上、本発明の実施形態に係る表示システム、表示装置、表示装置用プログラム、および表示装置用プログラムを記録したコンピュータ読み取り可能な記録媒体について説明したが、本実施形態は以下の効果を奏する。
【００９２】
共通の元データから通常画像データと通常画像データよりドット数の少ない省エネ画像データとをプリンタードライバー側で作成する。そして、電子ペーパー端末においてこれらの画像データを受信し、通常の画像データを、省エネ画像データに切替えて表示可能な表示手段を設ける。これにより、電子機器において低消費電力用の画像データの作成に必要な消費電力を削減し、内蔵バッテリーの消費量をさらに低減することができる。
【００９３】
また、省エネ画像データのドット形式を、ユーザーによる選択に基づいて設定可能とすることで、電子ペーパー端末における文字および画像を、見易さ等を考慮してユーザーに柔軟に選択させることができるとともに内蔵バッテリーの消費量を低減できる。
【００９４】
また、電子ペーパー端末において通常画像データのドット数を検出し、ドット数が閾値を超えるページについては省エネ画像データの表示をする。これにより、電子ペーパー端末における文字および画像の見やすさと内蔵バッテリーの消費量の低減の最適化を実現することができる。
【００９５】
また、電子ペーパー端末にバッテリーの残量を検出するバッテリー残量検出手段を設け、バッテリーの残量が閾値より少なくなったとき、以後、省エネモードとして省エネ画像データに切替えて表示する。これにより、電子ペーパー端末における文字および画像の見やすさと内蔵バッテリーの消費量の低減の最適化を実現することができる。
【００９６】
また、バッテリー残量検出手段により検出されたバッテリーの残量により通常画像データの未表示のページのすべてを表示できなくなったとき、以後、省エネモードとして省エネ画像データに切替えて表示する。これにより、電子ペーパー端末における文字および画像の見やすさと内蔵バッテリーの消費量の低減の最適化を実現するとともに、文書の閲覧の途中で閲覧不能になる不具合を防止することができる。
【００９７】
電子ペーパー端末において省エネ画像データを表示しているときにユーザーにより入力された手書き入力を通常画像データおよび省エネ画像データに反映させる。これにより、手書きの情報が追加された画像データについて再度表示する場合も内蔵バッテリーの消費量の低減を実現することができる。
【００９８】
なお、本発明に係る表示システム、表示装置、表示装置用プログラム、および表示装置用プログラムを記録したコンピュータ読み取り可能な記録媒体は、上述した実施形態に限定されるものではない。
【００９９】
例えば、上述の実施形態においては、ＰＣにおいて、文書ファイルのすべてのページについて省エネ画像データを作成している。しかし、ＰＣにおいて通常画像データのドット数を算出し、ドット数が閾値（第３閾値）を超えるページに対応する元データのページについてのみ省エネ画像データを作成してもよい。このとき、省エネ画像データが作成されるページについては、通常画像データは電子ペーパー端末に送信されず、省エネ画像データのみが送信されるようにしてもよい。これにより、電子ペーパー端末において受信する省エネ画像データのデータ量を低減することでデータ処理により生じる消費電力を削減し、電子ペーパー端末の内蔵バッテリーの消費量のさらなる低減を実現することができる。
【０１００】
また、省エネモードへの切替えは、ユーザーによる電子ペーパーへの指示に基づいて実行されてもよい。
【０１０１】
また、省エネモードに切替わったときは、電子ペーパー端末のステータス画面に省エネモードを示すアイコン等が表示させるようにしてもよい。
【０１０２】
また、上述した実施形態においては電子ペーパー端末を表示装置の例として説明したが、表示装置は、自己発光型のＬＥＤ（Ｌｉｇｈｔ  Ｅｍｉｔｔｉｎｇ  Ｄｉｏｄｅ）を各画素に有するＬＥＤディスプレイにより画像データを表示する端末であってもよい。
【符号の説明】
【０１０３】
１    表示システム、
２０    ＰＣ、
３０    電子ペーパー端末。
【図１】
2014157516.tif 000003
【図２】
2014157516.tif 000004
【図３】
2014157516.tif 000005
【図４】
2014157516.tif 000006
【図５】
2014157516.tif 000007
【図６】
2014157516.tif 000008
【図７】
2014157516.tif 000009
【図８】
2014157516.tif 000010
【図９】
2014157516.tif 000011
【図１０】
2014157516.tif 000012